(57)【要約】【課題】背綴じ処理やコバ面印刷などを行うことなく、枚葉タイプのノート類においても、証拠性を有する画像形成システムを提供する。【解決手段】ノートページの画像データを生成するとともに、ページの序列を人間が可読な符号と、序列を人間が不可読な符号と、を少なくともどちらかを同一ページに付与し、生成されたノートページをノートページ表示確認手段により表示し、ユーザの確認を経た後、ノートページを印刷するように制御する。【選択図】図１
2013208803.tif 000002
【特許請求の範囲】
【請求項１】
記録紙に可視画像を形成する画像形成システムにおいて、
ユーザが使用するノートページの生成、当該ノートページの形態の設定、当該機能を実施するために必要な設定を行うマイノート生成機能指定手段と、
一連のノートページの共通描画要素、もしくは、準共通描画要素、を生成する共通描画要素生成手段と、
マイノート生成に際し、生成される一連のノートページの序列を人間が可読な符号と、当該序列を人間が不可読な符号と、を少なくともどちらかを同一ページに付与する差替え防止手段と、
前記マイノート生成機能指定手段により指定された項目に従って生成されるノートページ画像の形成前に表示し、前記ユーザの確認を得ることが可能なノートページ表示確認手段と、
前記マイノート生成機能指定手段において、当該機能を実行する旨の設定がなされた時、前記指定された事項に従い、前記共通描画要素生成手段により、当該ノートページの画像データを生成するとともに、前記差替え防止手段により、ページの序列を人間が可読な符号と、当該序列を人間が不可読な符号と、を少なくともどちらかを同一ページに付与し、生成されたノートページを前記ノートページ表示確認手段により表示し、前記ユーザの確認を経た後、当該ノートページを印刷するように制御する制御手段と、を有することを特徴とする画像形成システム。
【請求項２】
前記差替え防止手段における人間が不可読な符号の生成において、
取得可能な少なくとも秒単位以下の精度の当該ノートページ生成時刻、ある等比数列を特定の除数によってＭＯＤ演算を行った時の剰余、疑似ノイズ符号、印刷記録紙の繊維パターン又は繊維特徴情報、のうち、少なくとも１つをベースに生成することを特徴とする請求項１記載の画像形成システム。
【請求項３】
前記差替え防止手段における人間が不可読な符号の生成において、
生成のベースが、印刷記録紙の繊維パターン又は繊維特徴情報の場合、当該ノートページの読取った繊維パターン又は繊維特徴情報を当該ノートページの次のノートページに序列IＤとして付与することを特徴とする請求項２記載の画像形成システム。
【請求項４】
前記差替え防止手段における人間が不可読な符号は、前記生成された符号を１次元コード、２次元コード、不可視インキ、無線タグ、のうち、少なくとも１つの形態に変換して当該ノートページに付与することを特徴とする請求項１から３の何れか一項記載の画像形成システム。
【請求項５】
前記マイノート生成機能によりノートページに付与される情報は、序列IＤのみならず、マイノート生成者個人の認証情報もしくはマイノート生成を行った画像形成装置の装置情報を含む補助IＤを付与され、補完的に併用されることを特徴とする請求項１から４の何れか一項記載の画像形成システム。
【請求項６】
前記マイノート生成機能の実行中において、当該画像形成装置に障害が発生した場合、正常に序列IＤが付与された直近のノートページを用いて序列IＤの付与に破たんが生じないようにリカバリ処理を行うことを特徴とする請求項１から５の何れか一項記載の画像形成システム。
【請求項７】
前記マイノート生成機能により付与された序列IＤを有するノートページにおいて、
当該ノートページあるいは必要に応じその前後のノートページを、光学読取装置により読取り、序列IＤを抽出し、抽出した序列IＤを解析することによって、当該ノートページが改竄されたものであるか否かの判別を行う序列IＤ鑑定機能を有することを特徴とする請求項１から６の何れか一項記載の画像形成システム。
【請求項８】
前記マイノート生成機能により付与された序列IＤ及び補助IＤを有するノートページにおいて、
当該ノートページあるいは必要に応じその前後のノートページを、光学読取装置により読取り、序列IＤ及び補助IＤを抽出し、抽出した序列IＤが改竄されたものであるか否かの判別を行うとともに、その判別に際し、前記抽出された補助IＤの解析結果をも考慮に入れた序列IＤ鑑定機能を有することを特徴とする請求項７記載の画像形成システム。
【請求項９】
当該マイノートページ生成機能を有効化し、かつ、序列IＤを付与する旨の選択がなされた場合、当該生成されたノートページは、蓄積文書として記憶装置に保存できないことを特徴とする請求項１から８の何れか一項記載の画像形成システム。
【請求項１０】
前記差替え防止手段における人間が不可読な符号の生成において、
生成のベースが、当該符号自体が循環符号列における符号位置を指標できる疑似ノイズ符号の場合、もしくは、生成のベースが、ある等比数列を特定の除数によってＭＯＤ演算を行った時の剰余の場合、当該循環符号列の符号長やノード、もしくは当該剰余の数列を特徴づけるパラメータが、当該序列IＤを付与する画像形成装置又は画像形成装置グループ毎に異なることを特徴とする請求項１から９の何れか一項記載の画像形成システム。
【発明の詳細な説明】
【技術分野】
【０００１】
本発明は、画像形成システムに関する。
【背景技術】
【０００２】
近年、画像形成装置の開発に伴い、ユーザがノートやメモ帳代わりに使用することが行われている。例えば、記録紙に疑似的な透かし模様を施して画像形成装置で作成することが行われている（例えば、特許文献１参照）。
【０００３】
特許文献１に記載の発明は、「透かし模様入り記録紙及びその製造方法」に関するものであり、障子紙や化粧紙等の記録紙に、透明化インキを使いて、所望の絵やロゴマーク等の記号や文字等の疑似的な透かし模様を施して使用する例が開示されている。
このようなことから、ユーザが、テンプレート(原稿紙あるいは電子ファイル)を予め用意し、画像形成装置を用いて、ユーザ独自のノートやメモ帳等を自由に生成し、これを使用しているであろうことは想像に難くない。
【０００４】
また、単にテンプレートの利用にとどまらず、特殊インク、例えば、香り成分をマイクロカプセルに閉じ込めて、インキ中に分散させたものや、蛍光成分を含有するインキなどを用意できれば、香り付きのノート（ページ）、夜光るノート（ページ）などをユーザ自身が自前で容易に生成することができる。
このようにして生成されたノート（ページ）は、パンチ処理された後、ページが自由に着脱可能なバインダなどに装着されて利用されることが多い。
【０００５】
一方、これらのノートやメモ帳の類においても、証拠性(原本性)を必要とされるものがある。例えば、クリエイター用や研究者・開発者用に供されるものが挙げられる。これらの用に供されるノート類は、創作活動あるいは研究・開発活動のプロセスにおいて、デザインやアイディア、実験データなどの中間成果物が、いつ、どんな過程を経て得られたのかが、改竄されることなく記録されていることが必要とされる。
【０００６】
特に改竄の中でも、ページの抜差し防止は必要最小限の条件の１つであるが、従来のノート類においては、背綴じに糸を用いた中綴じ（かがり綴じ）や背に糊を付けてページを一体に固着した無線綴じなどを施したもの、ノートの側面（コバ面）に適当なパターンを印刷したもの、などの抜差し防止の対策されたものなどが提供されている。
【発明の概要】
【発明が解決しようとする課題】
【０００７】
ところで、現状において証拠性（原本性）を有したノート類は、既製（メーカーメイド）のものがほとんどであり、ユーザが独自に生成するノート類のような毎葉タイプのものにおいては、かがり綴じや無線綴じまでを行える環境はほとんどないことが多い。なぜなら、このような機能を有する画像形成装置などは存在しないこともないが、装置一式として揃えるには高価・大がかりであったり、オプション扱いであったりするため、非装着（非選択）の状態で導入されていることも多いためである。
【０００８】
また、現状ではむしろ反対に、特許文献２に示すように、ページの抜差しを自由に行えるような機能を持つ画像形成装置の方が、付加価値があると見なされているというようなことも一因である。
ここで、特許文献２に記載の発明は、「画像ファイリング装置」に関するものであり、具体的には、ＡＤＦ（Ａｕｔｏ  Ｄｏｃｕｍｅｎｔ  Ｆｅｅｄｅｒ：自動原稿搬送装置）から送られた原稿をカラースキャナ（原稿固定台とも言う。以下、スキャナ）で読みこみ、この画像を情報記憶部に保存する。差替え先の文書のページ数と差替え元の文書のページを比較し、差替え先の文書のページ数の方が多いときは、差替え後に残ってしまうページを自動的に削除し、逆に差替え元の文書のページが多いときは、多い分を追加する。このページ数の比較をＡＤＦ上に、まだ原稿があるか否かで判断することもできるものである。
【０００９】
そこで、本発明は、上記のような現状を鑑みてなされたものであり、背綴じ処理やコバ面印刷などを行うことなく、枚葉タイプのノート類においても、証拠性（原本性）を有することができる画像形成システムを提供することを目的とする。
【課題を解決するための手段】
【００１０】
上記課題を解決するため、請求項１記載の発明は、記録紙に可視画像を形成する画像形成システムにおいて、ユーザが使用するノートページの生成、当該ノートページの形態の設定、当該機能を実施するために必要な設定を行うマイノート生成機能指定手段と、一連のノートページの共通描画要素、もしくは、準共通描画要素、を生成する共通描画要素生成手段と、マイノート生成に際し、生成される一連のノートページの序列を人間が可読な符号と、当該序列を人間が不可読な符号と、を少なくともどちらかを同一のページに付与する差替え防止手段と、前記マイノート生成機能指定手段により指定された項目に従って生成されるノートページ画像の形成前に表示し、前記ユーザの確認を得ることが可能なノートページ表示確認手段と、前記マイノート生成機能指定手段において、当該機能を実行する旨の設定がなされたとき、前記指定された事項に従い、前記共通描画要素生成手段により、当該ノートページの画像データを生成するとともに、前記差替え防止手段により、ページの序列を人間が可読な符号と、当該序列を人間が不可読な符号と、を少なくともどちらかを同一のページに付与し、生成されたノートページを前記ノートページ表示確認手段により表示し、前記ユーザの確認を経た後、当該ノートページを印刷するように制御する制御手段と、を有することを特徴とする。
【発明の効果】
【００１１】
本発明によれば、背綴じ処理やコバ面印刷などを行うことなく、枚葉タイプのノート類においても、証拠性（原本性）を有する画像形成システムの提供を実現できる。
【図面の簡単な説明】
【００１２】
【図１】実施形態１に係る孔版印刷システムの構成を示すブロック図である。
【図２】（ａ）は、実施形態１に係る孔版印刷システムが適用された孔版印刷装置の一例を示す概略図であり、（ｂ）は、（ａ）に示した孔版印刷装置の操作パネルの一例である。
【図３】実施形態１に係る孔版印刷装置制御部のハードウェア（電装基板）構成の一例を示す概略図である。
【図４】実施の形態１に係る孔版印刷装置の動作時にタッチパネルに表示されるメニュー画面の一例を示す図である。
【図５】実施の形態１に係る孔版印刷装置の動作時にタッチパネルに表示されるメニュー画面の一例を示す図である。
【図６】実施の形態１に係る孔版印刷装置の動作時にタッチパネルに表示されるメニュー画面の一例を示す図である。
【図７】実施の形態１に係る孔版印刷装置の動作時にタッチパネルに表示されるメニュー画面の一例を示す図である。
【図８】実施形態１に係るＰＮ符号を説明するための説明図である。
【図９】実施の形態１に係る最終印刷成果物の一例である。
【図１０】成果物の表示方法の一例を示す図である。
【図１１】実施形態１に係る孔版印刷システムの動作を説明するための処理の流れ図の一例である。
【図１２】実施形態２に係る孔版印刷装置の動作時にタッチパネルに表示されるメニュー画面の一例を示す図である。
【図１３】実施形態２に係る孔版印刷装置とＮＴＰサーバとの関係を示す概略図である。
【図１４】実施形態３に係る最終印刷成果物の一例である。
【図１５】実施形態３に係る孔版印刷装置の動作時にタッチパネルに表示されるメニュー画面の一例を示す図である。
【図１６】実施形態３に係る最終印刷成果物の仕上がりイメージの表示例を示す図である。
【図１７】実施形態４に係る序列ＩＤ鑑定機能の説明のための概略図である。
【図１８】実施形態４に係る孔版印刷システムの動作を説明するための処理の流れ図の一例である。
【図１９】実施形態５に係る孔版印刷システムの動作を説明するための処理の流れ図である。
【図２０】実施形態６に係る孔版印刷システムの動作を説明するための処理の流れ図である。
【図２１】実施形態７に係る記録紙の繊維バターンによる序列ＩＤ付与の説明のための概略図である。
【発明を実施するための形態】
【００１３】
以下、本発明の実施形態について図面を用いて順に説明する。各実施形態において、画像形成システムが孔版印刷システムの場合で説明する。また、第１の実施形態と同一の機能を有する構成要素には、第１の実施形態と同一の符号を付し、第２の実施形態以降での重複説明は極力省略する。
【００１４】
（実施形態１）
＜画像形成システムの構成＞
図１は、実施形態１に係る孔版印刷システムの構成を示すブロック図である。
本実施形態のハイブリッド型の孔版印刷システム１は、図１に示すように、孔版方式画像形成ユニットとしての孔版印刷装置１００と、インクジェット方式画像形成ユニット１５０と、から構成される、いわゆるハイブリッド型の孔版印刷システム である。
【００１５】
孔版方式画像形成ユニット１００は、熱可塑性フィルムからなるマスタに熱穿孔プロセスを用いて潜像を形成し、潜像が形成されたマスタを、インキが充填された印刷ドラムに装填し、マスタが装填された印刷ドラムを回転させ、給紙された記録紙と圧接させることにより、記録紙に可視画像を形成するものである。
孔版印刷装置１００は、マイノート生成機能指定手段２（タッチパネル１１５）、制御手段６、及びノートページ表示確認手段５（後述する電子ペーパー４００）を有し、制御手段６は、共通描画要素生成手段３及び差替え防止手段４を有する。
【００１６】
インクジェット方式画像形成ユニットは、ライン状に配置された複数の微細なノズルから、液状インクもしくはゲル状インクを吐出することにより、給紙された記録紙に可視画像を可能にするものである。
【００１７】
マイノート生成機能指定手段２（タッチパネル１１５）は、ユーザが自身で使用するノートページを生成でき、また、ノートページの形態を自由にコーディネートできるマイノート生成機能を有効にするか否かの設定や、当該機能を実行する場合、当該機能を実施するために必要なパラメータあるいは指示などの設定を行う手段である。
【００１８】
共通描画要素生成手段３は、マイノート生成に際し、生成される一連のノートページにおいて、当該ノートページで固定されているレイアウト、配色、背景等の共通描画要素、もしくは、これらの共通描画要素が循環的あるいはランダムに適用される準共通描画要素、を生成する手段である。
【００１９】
差替え防止手段４は、マイノート生成に際し、生成される一連のノートページにおいて、ページの序列を人間が可読な符号と、当該序列を人間が不可読な符号と、を少なくともどちらかを同一のページに付与する手段である。
【００２０】
ノートページ表示確認手段５(電子ペーパー４００)は、マイノート生成機能指定手段により指定された項目に従って生成される予定のノートページ画像(印刷画像)を画像形成前に適当な表示手段により表示し、事前にユーザの確認を得ることが可能な手段である。
【００２１】
制御手段６は、マイノート生成機能指定手段２において、当該機能を実行する旨の設定がなされたとき、マイノート生成機能指定手段２において指定された事項に従い、共通描画要素生成手段３により、当該ノートページのレイアウト、配色、背景等の画像データ(印刷データ)を生成するとともに、差替え防止手段４により、ページの序列を人間が可読な符号と、当該序列を人間が不可読な符号と、を少なくともどちらかを同一のページに付与し、これらの工程により生成されたノートページをノートページ表示確認手段５により表示し、ユーザの確認を経た後、当該ノートページを生成(印刷)して、最終印刷成果物とするように制御する手段である。
【００２２】
尚、慣習として、画像形成に用いる色材を、孔版印刷装置をはじめとする印刷装置などでは、「インキ」、インクジェット方式の画像機器などでは、「インク」とそれぞれ呼称されることが多いが本明細書では、画像形成に供されるユニットが孔版ユニットであれ、インクジェットユニットであれ統一して「インキ」と呼称する。
【００２３】
＜孔版印刷装置の概念＞
図２（ａ）は、実施形態１に係る孔版印刷システムが適用された孔版印刷装置の一例を示す概略図であり、図２（ｂ）は、図２（ａ）に示した孔版印刷装置の操作パネルの一例である。
図２（ａ）、（ｂ）を参照して、孔版印刷システム１を構成する孔版印刷装置１００の基本構成について説明する。
【００２４】
孔版印刷装置１００は、装置本体の内部に、マスタ１０７が外周面に巻着される印刷ドラム１０１と、印圧手段となるプレスローラ１０２と、製版装置となるプロッタ１０３と、排版手段１０４とを備えたものである。孔版印刷装置１００は、装置本体の一方の側面（図２（ａ）の右側）に配置された給紙手段１０５から給紙される記録紙１０６をプレスローラ１０２で印刷ドラム１０１に押し当てることで、巻着されたマスタ１０７の画像を記録紙１０６に転写する。
孔版印刷装置１００を用いて片面印刷を行う場合、画像転写された記録紙１０６を搬送手段１０８で装置本体の他方の側面（この場合左側）に配置された排紙手段１０９へと搬送する。孔版印刷装置１００を用いて両面印刷を行う場合、片面の印刷が終了した記録紙を、切替え部材１２１により再給紙手段１２２に導き、再び給紙させることにより裏面に印刷を行う周知の構成をとる。
【００２５】
さらに、当該孔版方式による画像形成経路中（記録紙搬送経路中）には、インクジェット方式画像形成ユニット１５０を配置している。
【００２６】
図２（ａ）に示す装置本体の上部には、画像読取手段となるスキャナ１１０が配置されていて、原稿画像を読取り、製版に用いる画像データを取得している。
装置本体の上部正面には、孔版印刷装置１００の操作部となる操作パネル１１１が配設されている。
図２（ｂ）に示す操作パネル１１１には、印刷枚数等を入力するためのテンキー１１２、印刷や製版の切替えキー１１３、スタートキー１１４、表示部となる１１５、初期設定／プリンタ設定キー１１６、印刷位置調整キー１１７、プリントスピード設定キー１１８等が配備されている。
表示部１１５は、ＬＣＤのタッチパネルで構成されており、その画面には、各種案内情報や各種操作画面が適宜表示され、操作画面が、ユーザあるいは装置操作者（装置管理者）によって操作されると、各画面に表示されたスイッチに対応した内容が制御手段２０や孔版印刷装置１００に設定される。
装置本体内には、孔版印刷装置１００の各部を制御する制御手段６が配設されている。
【００２７】
＜制御手段の構成＞
図３は、実施形態１に係る孔版印刷装置制御部のハードウェア（電装基板）構成の一例を示す概略図である。
制御手段６は、図３に示すように、実装基板となるＡＣＵ２００（Ａｐｐｌｉｃａｔｉｏｎ Ｃｏｎｔｒｏｌ Ｕｎｉｔ）及びＥＣＵ３００（Ｅｎｇｉｎｅ Ｃｏｎｔｒｏl Ｕｎｉｔ）の二つに大きく分かれている。
【００２８】
ＡＣＵ２００は、孔版印刷装置１００の操作パネル（タッチパネル)１１１が接続される操作パネル用インターフェース２０５、携帯型大容量記憶メディアであるＳＤ（Ｓｅｃｕｒｅ  Ｄｉｇｉｔａｌ）メモリカード２０１やＵＳＢ（Ｕｎｉｖｅｒｓａｌ  Ｓｅｒｉａｌ  Ｂｕｓ）メモリ２０３などが接続されるインターフェース（ＳＤ Ｉ／Ｆ ２０６、ＵＳＢ Ｉ／Ｆ ２０９）、大容量記憶装置となるハードディスク（Ｈａｒｄ  Ｄｉｓｋ  Ｄｒｉｖｅ：以下「ＨＤＤ」と称す）２０７が接続されるインターフェース２０８、パソコンなどの情報端末に対し、ＬＡＮ（Ｌｏｃａｌ  Ａｒｅａ  Ｎｅｔｗｏｒｋ）やインターネットなどのネットワークを介してアクセスするためのネットワークインターフェースカード（ＮＩＣ）２０２や無縁ＬＡＮカードを接続するための通信インターフェース（ＮＩＣ Ｉ／Ｆ ２１２、無線ＬＡＮ Ｉ／Ｆ ２１４）、無給電画像表示装置である電子ペーパー４００を接続するためのＩ／Ｏインターフェース２２１、ＦＡＸモジュールを接続するためのＦＡＸインターフェース２２２、ＥＣＵ３００側が接続されるＥＣＵインターフェース２１５と、中央演算回路となるＣＰＵ（Ｃｅｎｔｒａｌ  Ｐｒｏｃｅｓｓｉｎｇ  Ｕｎｉｔ）２１６、記憶手段となるＲＡＭ（Ｒａｎｄｏｍ  Ａｃｃｅｓｓ  Ｍｅｍｏｒｙ）２１７と、ＲＯＭ（Ｒｅａｄ  Ｏｎｌｙ  Ｍｅｍｏｒｙ）２１８とが、ＡＳＩＣ（Ａｐｐｌｉｃａｔｉｏｎ Ｓｐｅｃｉｆｉｃ ｌｎｔｅｇｒａｔｅｄ Ｃｉｒｃｕｉｔ）２２０に接続されている。
【００２９】
ＡＣＵ２００は、孔版印刷装置の製版／蓄積の制御等を行い、スキャナ１１０あるいはネットワーク経由で転送されてくる文書を蓄積文書としてＨＤＤに蓄積したり、スキャナ１１０あるいはＨＤＤに蓄積された蓄積文書あるいはネットワーク経由で転送された文書データから、最終的に製版データを作成したりしたのち、ＥＣＵ３００に転送するという働きを受け持ち、本発明の機能は、主にこのＡＣＵ２００に属する。
【００３０】
ＥＣＵ３００は、中央演算回路となるＣＰＵ３２１、記憶手段となるＲＡＭ３２２とＲＯＭ３２３、ＡＣＵ２００が有するＥＣＵインターフェース２１５と接続されるＡＣＵインターフェース３２４、スキャナ１１０が接続されるスキャナインターフェース３２６、画像の像域分離や各種画像補正を行うＩＰＰ（Ｉｍａｇｅ−Ｐｒｏｃｅｓｓｏｒ）３２５、プロッタ１０３が接続されるプロッタインターフェース３２８、インクジェットユニット１５０が接続されるインクジェットインターフェース１５１、がそれぞれＡＳＩＣ３２９に接続されている。
【００３１】
ＥＣＵ３００は、ＡＣＵ２００により作成された製版データを元に、プロッタ１０３により、周知の孔版原紙となるマスタの感熱孔版フィルム１１９に、熱的プロセスによって穿孔を行うことにより、製版済みのマスタを作成する。ＥＣＵ３００は、この製版済みのマスタ１０７を印刷ドラム１０１となる版胴の外周面に巻装し、ドラム内部に設置されたインキパック１２０から、インキを供給しながら印刷ドラム１０１を回転させ、それに呼応させるように記録紙（印刷記録紙）１０６を給紙することにより印刷成果物（印刷物）を得る、という一連のデジタル式の孔版印刷装置の製版から印刷に至る動作全般を制御するとともに、ＡＣＵ２００により作成された画像データを、インクジェットモジュールに送り込み、孔版方式による画像形成と呼応させながら、インクジェット方式による画像形成をなすように制御するものである。
【００３２】
尚、当該ハイブリッド孔版印刷装置を構成するインクジェットユニットは、主走査方向長の画像形成領域を１つのインクジェットヘッドでカバーでき、ヘッドが固定されたいわゆるフルライン型ヘッドであっても、インクジェットヘッド長が主走査方向長よりも短く、当該ヘッドを主走査方向に走査することにより、主走査方向の画像形成を行ういわゆるシャトル型ヘッドであっても、どちらでも構わない。
【００３３】
＜操作部の表示＞
図４〜図７は、実施の形態１に係る孔版印刷装置の動作時にタッチパネルに表示されるメニュー画面の一例を示す図である。
まず、孔版印刷装置本体のタッチパネルにおいて、図４〜図７に示されるようなマイノート生成機能に関する各種設定が予めなされているものとする。
より詳しく説明すると、例として、図４のようなメインメニューから、「編集」−「マイノート生成」項目を選択することにより、図６に例示されるようなマイノート生成機能を設定するためのサブメニューが表示される。
【００３４】
本実施形態においては、「テンプレート」−"使用する"、「ページ番号」−"付与する"、「序列ＩＤ」−"使用する" などの各項目が設定されている。テンプレートは、文書フォーマットなどのデータが、蓄積文書として電子データの形で、当該孔版印刷装置のＨＤＤ２０７（図３参照）内に保存されているものであり、本機能に限らずユーザが適宜呼出して利用できるものである。"使用する"の仮想ボタンを選択すると、さらに図示しないサブメニューが開かれ、ＨＤＤ２０７内に保存されているテンプレート画像などを閲覧したり、適宜選択したりすることができる。
【００３５】
＜最終印刷成果物＞
図９は、実施の形態１に係る最終印刷成果物の一例である。
本実施形態では、図９の最終印刷成果物の例に示すように、同図のＣがテンプレートに該当し、日付欄や署名捺印欄が入ったフリーフォーマットのものが選択されたことを示している。
【００３６】
尚、テンプレートは、紙原稿を用意して固定原稿台あるいはＡＤＦから読取る、あるいは、孔版印刷装置１００内のＨＤＤ２０７のような大容量記憶装置あるいはＵＳＢメモリ２０３のような携帯用大容量記憶装置に電子ファイル化されているものを読取る、ネットワークを介したサーバなどに保存されているものなどをダウンロードしてくる、などが従来から行われている。最近では、ファイル共有（交換）アプリケーションを備えた孔版印刷装置同士で、蓄積文書（機密文書を除く）を共有しあうようなことも行われており、自前でテンプレートを用意する労力も少なくなっている。
【００３７】
「ページ番号」項目についても同様で、図示しないサブメニューにおいて、ページ番号の「書式」（例えば、"−１−、−２−、..."、"Ｐ１、Ｐ２、..."等）、「フォント」、「サイズ」、「付与位置」、例えば、"右上"、"中央下"等の各種項目が設定される。
【００３８】
そもそもこのようなオプションが存在するのは、生成されたノートページの序列(整列の順番)は、後述する印刷された序列ＩＤだけでは、人間の目で判別／判定することが不可能であるためである。ページ番号の付与がなくても、生成されたノートページのハンドリングを慎重に行い、どの順番でファイリングしたりや記帳すれば良いのかわからなくならないようにすれば本来の抜差し防止の機能を果たせるが、そこに至るまでのヒューマンエラーを防止することはできない。
但し、抜差し防止機能を必要としないマイノートを生成する場合、当該オプションの選択は任意である。
【００３９】
尚、自筆のページ番号をノートに記入することで、当該ノート（ページ）の原本性を保証するという考え方もあるが、基本的に、上述したヒューマンエラーを排除することはできず、また、改竄の当事者が原本作成者本人である場合には意味をなさなくなるので、補完的に用いることがより効果的かと思慮される。そのため本実施形態でも図９のＤに示すように、ページ番号を手書きで書込めるような欄を持ったテンプレートを選択しているが、そのようなことをせず、また見栄え等を気にするのであれば、ページ番号の付与位置を同図のＤの部分に指定すればよい。
本実施形態では、「書式」−"−１−、−２−、..."、「位置」−"中央下"、等が設定されており、最終印刷成果物としては、図９のＢに示されるように具現化される。
【００４０】
「序列ＩＤ」項目は、抜差し防止の機能を果たす中核をなすものであり、図７に示されるサブメニューから指定される。基本的な考え方は、マイノート生成時にノート自体にページ毎に固有かつ当該ノート内で序列可能な情報（序列ＩＤ）を付与し、さらに、別個に生成したノート間では、各対応するページに序列ＩＤの再現性がない、というような仕組みを入れ込めばよい。
【００４１】
本実施形態では、「序列ＩＤ種類」−"ＰＮ符号"、「序列ＩＤ付与位置」−"左上"、「序列ＩＤ付与形態」−"ＱＲ符号"、サイズ−"１５"［ｍｍ角］等としている。
【００４２】
まず、「序列ＩＤ種類」−"ＰＮ符号"から説明する。ＰＮ（Ｐｓｅｕｄｏｒａｎｄｏｍ  Ｎｏｉｓｅ）とは、疑似乱数符号や拡散符号等とも呼ばれ、ｎ個の２進数のビット列を与えて作る周期性を持つ２＾ｎ−１のビット列である。
【００４３】
＜ＰＮ符号＞
図８は、実施形態１に係るＰＮ符号を説明するための説明図である。
同図は、ＰＮ符号のうち、最長符号系列（ｍ系列：ｍａｘｉｍａｌ  ｓｅｑｕｅｎｃｅ）のＰＮ符号の生成方法の一例を示したものである。
ｍ系列は、シフトレジスタｎ段と遅延素子とで生成することができる符号系列の中で最長（２＾ｎ−１）のビット列をなすものである。
この生成したビット列からｋ個の連続したビットを選ぶと、ビット列上で固有の値になる。
【００４４】
図８では、説明の簡略化のため、ｎ＝６の場合について記している。この場合、６段のシフトレジスタを用い、最初にシフトレジスタのすべて「１」を設定しておく。
次に、シフトレジスタのＤ２、Ｄ３、Ｄ５、Ｄ６の排他的論理和をとり、Ｄ１に戻して帰還させ、同時に、全体を１ビット右にシフトさせる。Ｄ６から出てきたデータをビット列データとみなし、この操作を６３回繰り返すと２＾６−１＝６３ビットの周期的な符号ビット列を得ることができる。
【００４５】
このビット列から、例えば ｋ＝６として、６ビットのビット列を抽出（サンプリング）すると、抽出されたビット列（例えば、同図の抽出されたビット列Ａ）と同じビット列は、当該ＰＮ符号ビット列の１周期中には存在しない（同図の抽出されたビット列Ｂ、抽出されたビット列Ｃについても同じ）。即ち、抽出されたビット列は、当該ＰＮ符号ビット列上で固有の値になる（一意に定まる）。このようにして得られた固有の値を本発明における序列ＩＤとして採用している。
【００４６】
ノートページに付与する序列ＩＤのために、ＰＮ符号ビット列からサンプリングする間隔は、１ビットずらしても、２ビットずつ、あるいはそれ以上ずらしてもよいが、いずれにせよノートページの抜差しがなされないかぎり、ＰＮ符号ビット列上における位置関係が前後することはない。逆に、位置関係の逆転や不自然なサンプリング間隔の飛びが検出された場合、抜差しが発生した可能性が高いとして検出できる。
【００４７】
また、マイノートを作るたびに、いつも同じ符号位置（シフトレジスタの状態）から開始して、序列ＩＤとして付与したのでは、マイノート間の各対応する同一のぺージには同一の序列ＩＤが付与されることになってしまい、抜差し用のノートページを容易に生成できてしまう。このため、最新（直近）に付与したＰＮ符号上の位置を記録・保持しておき、次のマイノート生成時には、次の位置から付与するようにしている。
【００４８】
さらに、ｎの値は、基本的にはどのような値を用いてもよいが、あまりに小さすぎると、同一の序列ＩＤが頻繁に現れてくるので、その分、抜差し防止効果が弱くなってしまう。このため、ｎの値はある程度の大きさ（繰返し周期の長いもの）を持ったものの採用が望まれる。
【００４９】
一方、このようにして得られた序列コードをどのような形で付与するかというのが、「序列ＩＤ付与形態」項目である。本実施例では"ＱＲコード（登録商標）"としているが、これに限定されるものではなく、スタック型のバーコードあるいはカラーコードの類などであってもよい。しかしながら、人間が可読な英数字などの文字とした場合であっては、抜差し用のノートページを生成することが容易になってしまう。このため、直接可読できない符号コード、本実施形態では、ＱＲコードを採用している。そして、実際に最終印刷成果物に付与されたときの一例を図９のＡに示す。
【００５０】
尚、当該サブメニューでは、序列ＩＤを印刷する際のサイズを任意に指定できるようになっているが（序列ＩＤ付与形態でＱＲコード指定時に有効化）、ユーザによって指定されたサイズが、ＱＲコードのバージョン（セル数）、セル当りのドット数、孔版印刷装置の解像度等を考慮して、その品質を保証できない程度の小さいサイズ指定であった場合、図示しない警告メッセージが発せられるようになっている。
【００５１】
＜動  作＞
以上のような設定や準備がなされた孔版印刷システムの制御について、図１１の流れ図を使用して説明する。
図１１は、実施形態１に係る孔版印刷システムの動作を説明するための処理の流れ図の一例である。
尚、孔版ユニットとインクジェットユニットとによる最終印刷成果物の生成のための領域の振分け指定などが必要であるが、これらの指定は、マイノート生成機能を有効化した時点で、テンプレートなどの共通描画要素（固定描画要素）の画像形成は孔版印刷ユニットにより、ページ番号や序列ＩＤ部分などの変動描画要素（バリアブル描画要素）の画像形成はインクジェットユニットに自動的に定まるため、制御手段側で適当に振分けるため、ユーザが特に指定する必要はない。
【００５２】
しかしながら、背景画像などをランダムあるいはサイクリックに変えるようなマイノート生成の仕方もあるが、本発明においてはそのような趣向を凝らしたものは、特に重要な要件ではないので考慮しないものとしている。
【００５３】
本実施形態では、図９に示されるような、証拠性（原本性）が要求される開発者・研究者用のノートの生成を想定する。まず、ユーザあるいは装置操作者によって、製版スタートキーが押下されると（図１１のＳＴ１）、制御手段６（図１）は、マイノート生成機能の有効／無効設定のチェックを行う：図１１のＳＴ２）。
無効設定が行われた場合（ＳＴ３）、通常の製版印刷モードで動作するが（ＳＴ３）、有効設定が行われた場合（ＳＴ３）、前述したようなマイノート生成機能実行のための指定パラメータを取得する（ＳＴ４）。
マイノート生成でテンプレートを使用する旨の指定がなされていた場合（ＳＴ５）、孔版印刷装置１００に搭載されたＨＤＤ２０７もしくは孔版印刷装置１００に脱着可能に装着されたＵＳＢメモリ２０３、ＳＤメモリカード２０１などの携帯型大容量記憶装置から指定されたテンプレートデータを読取る（ＳＴ６）。
【００５４】
テンプレートを使用しない場合は、孔版印刷システム１のスキャナ１１０もしくはＡＤＦにセットされた原稿(テンプレート画像)を読取る（ＳＴ７）。
また、序列ＩＤを付与する旨の指定がなされていた場合（ＳＴ８）、指定されたパラメータに則った序列ＩＤの生成と後述する確認表示用のためのダミーの序列ＩＤを生成する（ＳＴ９）。さらに生成した序列ＩＤを付与形態に適合した形（本実施形態の場合ＱＲコード）への変換する（ＳＴ１０）。付与形態に変換された序列ＩＤは、さらにまた、画像データへと変換される（ＳＴ１１）。
尚、本実施形態においては、ページ番号の付与が指定されているが、これらのデータの画像データへの変換は自明であるので説明を省略する。
【００５５】
この時点において、画像形成のための画像データが揃うので、制御装置は、確認表示用の画像データを生成する（ＳＴ１２）。表示装置（例えば、電子ペーパー４００Ｂ）に最終印刷成果物の仕上がり予想イメージとして表示する（ＳＴ１３）。
【００５６】
＜成果物表示一例＞
図１０は、成果物の表示方法の一例を示す図である。
同図では、孔版印刷装置１００の筐体の側面（例えばフロントカバー）に設けられた電子ペーパー（外装タイプの電子ペーパー）４００Ａ、４００Ｂに印刷記録紙１枚の片面分が表示されている。また、このような表示を行う際、序列ＩＤ部分は実際の最終印刷成果物に付与されるものとは異なったダミーの序列ＩＤが表示される。これは、デジタルカメラやデジタルカメラ付き携帯電話などにより、表示された序列ＩＤを撮影し、抜差し用のデータとして使用することを抑止するためである。
従って、図９のＡの部分と図１０のＡの部分とは異なったものとなっている。
【００５７】
尚、序列ＩＤの部分を非表示とするようにしてもよいが、それでは、序列ＩＤ指定がなされなかったものとユーザが誤認する恐れがあるため、本実施形態ではそのような構成にはなっていない。
また、表示確認用の電子ペーパー４００Ａ、４００Ｂにペン入力及び編集機能があった場合、例えば、表示されたノートページに対し、手書き文字・イラスト、貼付けオブジェクトなどをさらに付加したとき、それを孔版印刷装置１００に反映（フィードバック）して取り込めるようにしてもよい。また、本実施形態では、孔版印刷装置１００のインターフェースが電子ペーパー４００Ａ、４００Ｂをサポートしているため、孔版印刷装置１００に表示しているが、本発明はこれに限定されるものではなく、タブレット型端末あるいはスレート型端末であっても構わない。
【００５８】
＜動作の続き＞
図１１に戻って、このようなユーザによる画像の確認が行われると（ＳＴ１４、ＳＴ１５）、制御手段６は、孔版ユニット用の画像データとインクジェットユニット用画像データとを生成し（ＳＴ１６、ＳＴ１８）、生成された画像データを元に各々のユニットによる画像形成が連携して行われ（ＳＴ１７、ＳＴ１９）、マイノート（ページ）が生成される。
尚、本実施形態では、改竄防止策（特に抜差し防止策）として、序列ＩＤのみを単体で付与しているが、改竄防止策として従来から知られている、例えばエンボス加工を、孔版印刷装置１００の印刷ドラムと圧胴とをエンボス用のユニットに入れ替えて、ノートページ生成前もしくは生成後の記録紙（ノートページ）を通紙することにより行うなどして、従来からある技術と併用してもよく、本実施形態に制限されるものではない。
【００５９】
以上のような構成を採用することにより、背綴じ処理やコバ面印刷などを行うことなく、証拠性（原本性）を有する枚葉タイプのノート類を生成することができる。
【００６０】
（実施形態２）
次に、実施形態２について説明する。
尚、上記実施形態と同一または同様の部分は同一符号で示し、特に必要がないかぎり既に説明した構成上及び機能上の説明は省略して、要部のみ説明する（以下の他の実施形態において同じである）。
図１２は、実施形態２に係る孔版印刷装置の動作時にタッチパネルに表示されるメニュー画面の一例を示す図である。
本実施形態では、図１２のサブメニューに示すように、「序列ＩＤ種類」として"日時：ＮＴＰ（Ｎｅｔｗｏｒｋ  Ｔｉｍｅ  Ｐｒｏｔｏｃｏｌ）"を採用し、「序列ＩＤ付与形態」として"ＵＶ（ＵｌｔｒａＶｉｏｌｅｔ）インキ"（紫外線蛍光インキ）を指定した場合を示している。
【００６１】
図１３は、実施形態２に係る孔版印刷装置とＮＴＰサーバとの関係を示す概略図である。
ＮＴＰサーバは、図１３に示すように、ネットワーク内の基準となる時刻を提供するサーバであり、クライアントの定期的な問合せに対し、基準となる時刻を応答するものである。これにより、ネットワーク内にあるＰＣ（Ｐｅｒｓｏｎａｌ  Ｃｏｍｐｕｔｅｒ）などのクライアントの内部時計の時刻が校正される。また、本実施形態に示すようなＬＡＮに置かれているＮＴＰサーバは、より上位層（広域ネットワークＷＡＮ：Ｗｉｄｅ  Ａｒｅａ  Ｎｅｔｗｏｒｋやインターネット）のＮＴＰサーバの時刻をさらに参照するというようなツリー構造になっていることも多い。よって、本実施形態では日時情報の取得を、ＬＡＮ内にあるＮＴＰサーバから行っているが、ＷＡＮあるいはインターネット上にあるパブリックなサーバを利用してもよく、本実施形態に限定されるものではない。
【００６２】
しかしながら、抜差し用の改竄のため、ＮＴＰサーバとして改竄者が時刻を自由に設定可能なものを指定して、参照させることなども考えられるので、デフォルトでパブリックなＮＴＰサーバをソースコード固定で埋め込んでそもそも当該サーバに関する設定をユーザに露出させないようにしたり、設定をユーザにメニューとして露出させる場合にＮＴＰサーバの設定／変更の実行権限を管理者モードにしておいたりするなど、セキュリティに関する補完的な方策の併用は適宜なされるのが望ましい。
【００６３】
また、日時情報の取得に、孔版印刷装置などの機器でも搭載されていることも多いＲＴＣ（Ｒｅａｌ−Ｔｉｍｅ  Ｃｌｏｃｋ）を利用することも考えられる。しかし、ＲＴＣは、基本的にユーザが任意に設定を変更することができ、抜差し用データとして容易に変更して利用できるため、本実施形態では採用していない。
但し、ネットワーク環境を使用できず、そのためＮＴＰサーバを参照できない場合や、ＲＴＣの設定／変更の実行権限が、管理者モードによってしか変更できないような設定になっている場合などには日時取得手段の選択肢として有効と考えられる。
【００６４】
いずれにせよ、本実施形態では、ノートページを生成する毎にＮＴＰサーバから日時情報を取得し、これをノートページ生成時刻（序列ＩＤ）として入れ込むようにしている。
図１４は、実施形態３に係る最終印刷成果物の一例である。
同図において、最終印刷成果物に日時Ａ、頁Ｂ、日付欄及び署名捺印欄を含む自由記載欄Ｃが印刷されている。図では自由記載欄Ｃには何も記載されていないが、日付、署名、及び記事がユーザによって記載される。
このようにして取得、生成された序列ＩＤは、不可視インキの一種であるＵＶ蛍光インキによる印刷により、当該ノートページに付与される（図１４のＡ）。印刷された序列ＩＤは、通常、目視では確認できないが、ブラックライトなどの照射により、その存在と内容が確認できる。
【００６５】
尚、ＵＶ蛍光インキを序列ＩＤ用だけでなく、ページの実質的な書込み部分、本実施形態では、フリースタイルの自由記帳欄（図１４のＣの一部分）に、背景として全面もしくは適宜分散させて印刷しておくことにより、当該ページをスキャナで読取ろうとした際、蛍光作用により画像がぼやけるため、機密の漏えいを抑止する効果を持たせることもできる。
【００６６】
また、本実施形態では、序列ＩＤ付与形態として、ＵＶ蛍光インキを使用しているが、同じく紫外線を当てると反応して赤、緑、青などに発色する特殊インキ（フォトクロミック・インキ）、あるいは、可視光領域は反射し、赤外線領域に吸収を持つＩＲ（ＩｎｆｒａＲｅｄ）インキ、あるいは、不可視とまでは言えないが人間の目では認識しにくい黄色または淡黄色インキ、などを用いてもよく、本実施形態に限定されるものではない。
尚、加熱反応や化学反応により潜像が顕在化するようなインキを使用してもよいが、これらのインキには、一度当該反応を起こすと潜像には戻らず、顕在化してしまうような不可逆反応タイプのインキもあるので、そのような性質を持つものは避けるべきとの観点から、本実施形態では採用していない。
【００６７】
（実施形態３）
次に、実施形態３について説明する。
ノートページに序列ＩＤを付与する場合、ページ毎（枚葉の表面／裏面）に付与しても特に問題はないが、仮に抜差しが行われるとすれば、ページ単位なので表面／裏面の両方の付与は必ずしも必要でなく、どちらか一方のみでもそれほど致命的な問題とはならない。片面のみの序列ＩＤの付与は、マイノート生成がより簡便化され、特に、印刷における可変部分（バリアブル部分）は、ノートページ生成における律速となることが多いので、より高速化が図られるというメリットも享受することができる。
【００６８】
図１５は、実施形態３に係る孔版印刷装置の動作時にタッチパネルに表示されるメニュー画面の一例を示す図である。
このような指定は、図１５の序列ＩＤ付与に関するサブメニューの一例に示すように、「序列ＩＤ付与面」項目で"表面のみ"を指定することで具現化される。
尚、本実施形態では、序列ＩＤの生成ベースとしてＭＯＤ演算（剰余演算）を、序列ＩＤの付与形態としてバーコードを採用している。ＭＯＤ演算自体は非常に簡単なものであるため、それゆえ単純にページ数あるいは毎葉数にある基数のＭＯＤ演算結果をそのまま付与すると、容易に類推される。そのため、ある程度の大きさを持った基数を使い、また、被除数は等比数列を用いている。
【００６９】
本実施形態では、ａ＾（ｐ−１）ｍｏｄ  ｐを満たす剰余の数列を用いている。ここにおいて、ａとｐとは、互いに素であり、適当な素数を割当て、ｐにはｐを上限としたページ数（または毎葉数）を割当てている。
これによって生成される数列は、簡単のため、ａ＝２、ｐ＝１１とすると、
１、２、４、８、５、１０、９、７、３、６、１
となる。これを序列ＩＤとして付与することになる。
さらに、最新直近に付与した被除数を記録・保持しておき、次のマイノート生成時には、次の数列の位置から付与するようにしている。
このような方法を適用した結果として、図１６に示されるような、見開きタイプの電子ペーパーに、仕上がり予想イメージ表示したようなノートページが生成される。
【００７０】
図１６は、実施形態３に係る最終印刷成果物の仕上がりイメージの表示例を示す図である。
同図に示すように、左側に最終印刷成果物の表面が示され、右側にその裏面が電子ペーパー４００により表示される。電子ペーパー４００のノートページの表面には１次元バーコード欄Ａ、頁Ｂ、日付欄、署名捺印欄を含む自由記載ラインＣが表示され、ノートページの裏面には頁Ｂ、日付欄、署名捺印欄を含む自由記載ラインＣが示される。
同図において、自由記載欄Ｃには何も記載されていないが、日付、署名、及び記事がユーザによって記載される。
【００７１】
（実施形態４）
次に、実施形態４を説明する。
本実施形態では、序列ＩＤ鑑定機能を用いた改竄、特に抜差しの有無の検出について説明する。鑑定の対象となるノートページは、実施形態１に示した、序列ＩＤとしてＰＮ符号を、ＱＲコード形態で、表面にのみ付与したものを想定する。
【００７２】
以下、図１７及び図１８を用いて説明する。
図１７は、実施形態４に係る序列ＩＤ鑑定機能の説明のための概略図である。図１８は、実施形態４に係る孔版印刷システムの動作を説明するための処理の流れ図の一例である。
【００７３】
まず、当該機能のトリガは、図６のサブメニューに示される、「序列ＩＤ鑑定」仮想ボタンを選択することにより行われる。
この選択により、図示しないメッセージ表示に従い、ユーザは、ノートページを固定原稿台もしくはＡＤＦにセットする。序列ＩＤ鑑定を行うには、基本的に鑑定の対象となるノートページの他、少なくとも前後いずれか１枚のノートページが必要となる。なぜなら、対象ノートページだけでは、ノートページ間の前後関係を判断することができないため、結果として抜差しの有無の検知ができないためである。本実施形態では、対象ノートページ（図１７のノートページ（Ｎ））とその前後のページ（同図のノートページ（Ｎ−１）とノートページ（Ｎ＋１））が用意できるものとしている。
【００７４】
ノートページのセットが完了し、ユーザによってスタートキーが押下されると（図１８のＳＴ２１）、制御手段６はノートページの読取りスキャンを開始する（ＳＴ２２〜ＳＴ２４）。
読取られた画像データから、序列ＩＤの探索がなされるが（ＳＴ２５）、序列ＩＤが検出できない場合がある（ＳＴ２６）。この場合、ユーザによって明示的なマイノート生成機能のパラメータを入力する必要がある（ＳＴ３０）。即ち、当該ノートページ生成時に付与した序列ＩＤのパラメータを明示的に指定するのである。
制御手段６は、入力されたパラメータを取得し（ＳＴ３１）、これを元に再度序列ＩＤの再探索を行う（ＳＴ３２）。それでも検出できなかった場合は（ＳＴ３３）、その旨のメッセージを表示して終了する（ＳＴ３４）。
【００７５】
探索または再探索により序列ＩＤが検出された場合（ＳＴ２６）、制御手段６は、引き続き序列ＩＤの解析を行う（ＳＴ２７）。本実施形態では、序列ＩＤはＰＮ符号を用いているので、その抽出されたデータの符号ビット列上における位置を調査する。図１７には、序列ＩＤデータＡ、序列ＩＤデータＢ、序列ＩＤデータＣがそれぞれ抽出されており、それらの符号上の位置として、それぞれポジション３１、ポジション５８、ポジション３３が算出される。
ここにおいて、序列ＩＤ鑑定、即ち抜差しの有無の判定が行われる（ＳＴ２８）。鑑定の対象となっているノートページ（Ｎ）には、本来ポジション３２に対応する序列ＩＤが付与されていなければならないはずだが、抽出された序列ＩＤは、もっと後に生成されたものであり、順序関係に逆転が起きている。
これにより、当該ノートページは、当該マイノート生成時に他のノートページとともに生成されたものではなく、異なる時期に生成されてオリジナルのノートページと置き換えられたものと判断され、抜差しが行われた可能性が高いと判断される。
そして、制御手段６は、これらの結果を表示して、ユーザに知らせる（ＳＴ２９）。
【００７６】
尚、本実施形態では、序列ＩＤ鑑定を孔版印刷システム１自身によって行っているが、序列ＩＤ付与形態がＱＲコードなどに限定されている場合、デジタルカメラやデジタルカメラ付き携帯電話に序列ＩＤ鑑定アプリケーションを組込むことにより、序列ＩＤを撮像し、取り込んだ序列ＩＤを解析させることにより、同様のことが行える。即ち、序列ＩＤ鑑定機能を分離して利用することができる。
【００７７】
（実施形態５）
次に、実施形態５を説明する。
改竄検知（抜差し検知）の精度を高める方策として、序列ＩＤを単独ではなく複数の序列ＩＤを入れるということも考えられるが、序列ＩＤの他に、パスワードや生体情報（指紋、声紋、虹彩）などのマイノート生成者個人の認証情報、もしくは、機種コードや製造番号などのマイノート生成を行った画像形成装置の情報を、付与し、併用して運用する方法が挙げられる。
本実施形態は、後者を採用した場合についてのものであり、実施形態１に示した、序列ＩＤとしてＰＮ符号を、ＱＲコード形態で付与したものをベースにしており、ＱＲコード内に、さらにマイノート生成を行った画像形成装置の製造番号を補助ＩＤとして入れ込んでいる。
【００７８】
補助ＩＤを入れるか否かは、図６に示すサブメニューにおいて、「補助ＩＤ」−"使用する"を選択することにより、有効化される。この選択により、図示しないサブメニューにおいて、どのような情報をどのような形態で付与するのかを指定する。本実施形態では、画像形成装置の製造番号をＱＲコードの形態で付与するが、その際、序列ＩＤとマージして入れ込む指定をしている。
【００７９】
図１９は、実施形態５に係る孔版印刷システムの動作を説明するための処理の流れ図である。
図１９に示す流れ図は、基本的な流れは実施形態１の図１１に示したものと同様であり、補助ＩＤの部分が追加されたものとなっている（ＳＴ６０〜ＳＴ６４）。
追加部分について説明する。
制御手段６は補助ＩＤを付与するか否かを判断し、補助ＩＤを付与する場合（ＳＴ６０）、指定された補助ＩＤを生成し（ＳＴ６１）、補助ＩＤを付与しない場合（ＳＴ６０）、確認表示用画像データの生成を行う（ＳＴ５２）。
制御手段６は、指定された補助ＩＤを生成すると（ＳＴ６１）、序列ＩＤとマージするか否かを判断する。制御手段６は、序列ＩＤとマージする場合（ＳＴ６２）、指定された序列ＩＤ付与形態への変換を行い（ＳＴ５０）、序列ＩＤとマージしない場合（ＳＴ６２）、指定された補助ＩＤ付与形態への変換を行い（ＳＴ６３）、画像データへの変換を行い（ＳＴ６４）、確認表示用画像データの生成を行う（ＳＴ５２）。
【００８０】
このような構成を導入し、補完的に序列ＩＤと併用して運用、例えば、前述した序列ＩＤ鑑定の実施例において、序列ＩＤだけではなく、ノートページ間の補助ＩＤの比較も同時に行えば、より改竄検知（抜差し検知）の精度を高めることができる。
【００８１】
尚、これらの補助ＩＤのみによる単独適用は、基本的に抜差しを防止もしくは検出するものではない。
さらに、補助ＩＤとして、個人情報を付与する場合においては、本人が改竄の当事者であるような場合、まったく意味をなさなくなるが、一方、画像形成装置の機器情報の場合、故障あるいは経年劣化により、画像形成装置（孔版印刷装置）が撤収、廃棄あるいはリプレースされることが多いので、同一の機器情報を持ったノートページを、後日、生成することが困難となるため、個人情報よりも改竄防止効果が高い。
本実施形態で、補助ＩＤとして画像形成装置の機器情報を採用しているのはこれらの理由による。
【００８２】
（実施形態６）
次に、実施形態６を説明する。
本実施形態では、序列ＩＤを付与するマイノート生成機能の実行中（画像形成中）において、画像形成装置(孔版印刷装置)にジャムなどの何らかの障害が発生した場合のリカバリ処理の仕組みについて、主に図２０を用いて説明する。
図２０は、実施形態６に係る孔版印刷システムの動作を説明するための処理の流れ図である。
本実施形態では、ノートページの紙送りジャムが発生した場合を想定する。この場合、制御手段６は、孔版印刷装置１００の表示装置にリカバリ処理（マイノート生成の継続）を行うか否かのメッセージの表示を行い（ＳＴ７１）、ユーザからの指示を待つ（ＳＴ７２）。
ユーザがマイノート生成を中止する場合は（ＳＴ７３）、そのまま終了するが、継続する場合は（ＳＴ７３）、正常に序列ＩＤが付与された直近のノートページを、固定原稿台あるいはＡＤＦにセットするようなメッセージを表示する（ＳＴ７４）。
【００８３】
尚、正常に序列ＩＤが付与された直近のノートページといっても、紙送りジャムの発現の仕方によって選択が分かれる。例えば、ジャムを起こしているノートページが、当該孔版印刷装置の印刷ドラムに貼り付いてうまく分離できず、分離爪によって切り裂かれているような場合、既に正常に排紙台に排紙されたノートページが直近の正常に序列ＩＤが付与されたノートページとなる。
しかし、孔版印刷装置１００の内部にとどまっている正常に序列ＩＤが付与されたノートページが、単に排紙台にうまく排出されず引っかかってジャムを起こしているような場合であって、物理的な損傷がほとんどなく、当該ノートページがそのままマイノート用として使えるような場合、当該ノートページが直近の正常に序列ＩＤが付与されたノートページとなる。
【００８４】
勿論、ユーザが当該ノートページを使いたくないと判断した場合は、既に正常に排紙台に排紙されたノートページが直近の正常に序列ＩＤが付与されたノートページとなる。
即ち、正常に序列ＩＤが付与されたノートページとは、マイノート用として使用しうると判断された直近のノートページとなる。よって、序列ＩＤ付与部分は何の損壊がなくても、他の部分で折れ、皺や破れなどが生じているものは、基本的に直近のノートページに該当しない。
勿論、これも最終的にはユーザ判断に委ねられる。
【００８５】
いずれにせよ、直近のノートページが確定したら、ユーザは当該ノートページをセットし、指示されたボタン操作などを行う（ＳＴ７５）。
制御手段６は、セットされたノートページを読取り（ＳＴ７６）、付与された序列ＩＤを抽出し（ＳＴ７７）、抽出された序列ＩＤを解析する（ＳＴ７８）。
解析された結果に基づいて、次のノートページに付与すべき序列ＩＤは何かを調査し、必要なパラメータの設定を行うなど、ノートページ生成継続のための準備を行う（ＳＴ７９）。準備が整い、ジャムエラーなどの障害要因が除去されると、制御手段６は、マイノート生成を再開する（ＳＴ８０）。
【００８６】
尚、当該画像形成装置（孔版印刷装置）において、マスタ切れやインキ切れのような事象が起こった場合、停止状態に推移させた後、マスタ切れあるいはインキ切れの表示を行うため、序列ＩＤの付与に破綻をきたすような状態に至らないため、基本的には、リカバリ処理を行わなければならない障害とはみなされない。また、テンプレートとしてＡＤＦから原稿を読取ったときに、ＡＤＦジャムなどが生じた場合も、まだ序列ＩＤが付与される以前であるので、同様である。
【００８７】
しかしながら、インキ切れ、特に付与ＩＤの画像形成のためのインキが切れた場合、当該付与ＩＤのカスレや画像切れが生じている場合、ユーザ判断により、リカバリ処理が指定されることもある。
このような仕組みを採用することにより、マイノート生成において、障害が発生した場合でも、当該ジョブを最初からやり直す必要がなく、適切な箇所から再開できるため、効率的に行うことができる。
【００８８】
（実施形態７）
次に、実施形態７を説明する。
本実施形態は、序列ＩＤの生成のベースが、記録紙の繊維パターンの場合の一例である。
記録紙の繊維パターンを読取るには、孔版印刷装置１００の給紙部分に取り付けられた小型の高解像度撮像素子によってなされる。読取られたデータは、ノイズ除去、ヒストグラム拡張などの前処理がなされたのち、２値化され、これが繊維パターンデータとなる。さらに、容量削減のため、このデータに圧縮処理をかけている。
【００８９】
図２１は、実施形態７に係る記録紙の繊維バターンによる序列ＩＤ付与の説明のための概略図である。
図２１において、上段左側に記録紙の１枚目の一方の面（例えば裏面）が示され、上段右側に記録紙の１枚目の他方の面（この場合表面）が示されている。同様に、中段左側に記録紙の２枚目の一方の面が示され、中段右側に記録紙の２枚目の他方の面が示され、下段左側に記録紙の３枚目の一方の面が示され、中段右側に記録紙の３枚目の他方の面が示されている。
各記録紙の一方の面（裏面）にはＥの部分に繊維パターンデータが記載され、他方の面（表面）にはＡに付与ＩＤが記載されている。
【００９０】
図２１の概略図を用いて、繊維パターンの読取りと序列ＩＤの付与について説明する。
本実施形態では、ユーザによる書込みの可能性（確率）が低いと想定されるノートページの特定部位（ブロック）の繊維パターンを読取り、前述のような画像処理を施した後、繊維パターンデータとして抽出し、抽出したデータを当該ノートページの次のノートページに序列ＩＤとして付与している。
【００９１】
尚、このような処理の仕方では、最初のノートページの付与ＩＤが未定になるが、本実施形態では、ダミーの序列ＩＤを付与している。
このようなディジーチェーン（数珠つなぎ)方式の付与方法においては、当該ノートページの関係づけが前後のノートページにしか及ばないが、このような方法でも抜差しを検知することは可能である。
【００９２】
即ち、例えば、２ページ目の抜差しが行われたとすれば、１ページ目の繊維パターンデータ（Ｅの部分）と２ページ目の付与ＩＤ（Ａの部分）を比較することによって検出することができる。仮に、付与ＩＤ（Ａの部分）を複製することができ、１ページ目の繊維パターンデータ（Ｅの部分）と合致するという結果となっても、今度は、３ページ目の付与ＩＤ（Ａの部分）と２ページ目の繊維パターンデータ（Ｅの部分）は不一致となるので、最終的には、当該ノートページ（２ページ目のノートページ）は抜差しされた可能性が高い、という結論が導出される。
【００９３】
尚、本実施形態では、繊維パターンの読取りブロックは、１ヶ所であるが、その１ヶ所をいくつかのサブブロックに分け、各々のサブブロックに繊維パターンデータを抽出し、各繊維パターンデータをとりまとめて、１つの序列ＩＤとして付与している。
【００９４】
これは、ユーザは、通常、どこが繊維パターン読取りブロック部分であるかを知ることはできないので、繊維パターン読取りブロック部分に書込みをしたりすることにより、序列ＩＤ鑑定時に使用する特定のサブブロックが書込みの影響を受ける場合を考慮してのことである。
このような場合、繊維パターンデータが正しく抽出できない場合もあるので、書込みの影響を受けていない他のサブブロックで鑑定するようにしている。
より確実性を期すならば、繊維パターンの読取りブロックを物理的に相互に離隔している複数のブロックから抽出したり、繊維バターンデータ抽出用領域として、予め任意のマークを印刷してユーザによる書込みをしにくくしたりする、などとしてもよく、本実施形態に限定されるものではない。
また、鑑定の精度を上げるため、複数のサブブロックによる多数決判定などを利用して鑑定してもよい。
【００９５】
＜効  果＞
本実施形態によれば、背綴じ処理やコバ面印刷などを行うことなく、証拠性（原本性）を有する枚葉タイプのノート類を生成することができる。
【００９６】
本実施形態によれば、ノートページの序列関係を維持しつつ、かつ、付与された序列ＩＤから当該生成のベースとなった符号を予測しにくく、かつ、当該符号を利用した当該序列ＩＤの複製をしにくい、序列ＩＤを生成することができる。
【００９７】
本実施形態によれば、序列ＩＤが第三者に直接露出・露見することがなく、それゆえ、付与された序列ＩＤから当該生成のベースとなった符号を予測しにくく、かつ、当該符号を利用した当該序列ＩＤの複製をしにくい、序列ＩＤを生成することができる。
【００９８】
本実施形態によれば、補完的に序列ＩＤと併用した運用において、序列ＩＤだけではなく、ノートページ間の補助ＩＤの比較も同時に行えば、より改竄検知（抜差し検知）の精度を高めることができる。
【００９９】
本実施形態によれば、マイノート生成において、障害が発生した場合でも、当該ジョブを最初からやり直す必要がなく、適切な箇所から再開できるため、効率的に行うことができる。
【０１００】
本実施形態によれば、当該孔版印刷システム内で、序列ＩＤ付与機能を完結することができる。
【０１０１】
本実施形態によれば、補完的に序列ＩＤと併用した運用において、序列ＩＤだけではなく、ノートページ間の補助ＩＤの比較も同時に行えば、より改竄検知（抜差し検知）の精度を高めることができる。
【０１０２】
本実施形態によれば、序列ＩＤを付与されたノートページの複製を抑制することができる。
【０１０３】
本実施形態によれば、同一の序列ＩＤを生成できる画像形成装置が制限されるため、ノートページの複製を抑制することができる。
【０１０４】
尚、上述した実施の形態は、本発明の好適な実施の形態の一例を示すものであり、本発明はそれに限定されることなく、その要旨を逸脱しない範囲内において、種々変形実施が可能である。
【符号の説明】
【０１０５】
１    孔版印刷システム
２    マイノート生成機能指定手段
３    共通描画要素生成手段
４    差替え防止手段
５    ノートページ表示確認手段
６    制御手段
１００    孔版印刷装置
１０１    印刷ドラム
１０３    製版部（プロッタ）
１１０    画像読取り部（スキャナ）
１１１    操作部（操作パネル）
１１５    タッチパネル
１５０    インクジェットユニット
２００    ＡＣＵ
３００    ＥＣＵ
４００、４００Ａ、４００Ｂ    電子ペーパー
【先行技術文献】
【特許文献】
【０１０６】
【特許文献１】特開平０６−２２８９００号公報
【特許文献２】特開平０５−１２０４０８号公報
【図１】
2013208803.tif 000003
【図２】
2013208803.tif 000004
【図３】
2013208803.tif 000005
【図４】
2013208803.tif 000006
【図５】
2013208803.tif 000007
【図６】
2013208803.tif 000008
【図７】
2013208803.tif 000009
【図８】
2013208803.tif 000010
【図９】
2013208803.tif 000011
【図１０】
2013208803.tif 000012
【図１１】
2013208803.tif 000013
【図１２】
2013208803.tif 000014
【図１３】
2013208803.tif 000015
【図１４】
2013208803.tif 000016
【図１５】
2013208803.tif 000017
【図１６】
2013208803.tif 000018
【図１７】
2013208803.tif 000019
【図１８】
2013208803.tif 000020
【図１９】
2013208803.tif 000021
【図２０】
2013208803.tif 000022
【図２１】
2013208803.tif 000023